(57)【要約】【課題】画像に関わる情報を処理する情報処理装置において、入力操作の有無に応じて、画像を印刷するための印刷条件の表示を制御する。【解決手段】情報処理装置１は、読取部３から、画像情報と、当該画像情報の関連情報を読み取り、読取部３により読み取られた関連情報の中に、前記画像の印刷条件が含まれているか否かを判定する。読み取られた関連情報の中に印刷条件が含まれていると判定された場合、当該印刷条件を予め設定された表示方式（例えば、予め設定された色）で表示部２２に表示させる。また、情報処理装置１は、操作部２３により、表示部２２に表示された印刷条件が変更されると、当該印刷条件の表示方式を変更する。【選択図】            図１
2004246665.tif 000002
【特許請求の範囲】
【請求項１】
記録媒体に記録された画像情報と、当該画像情報に関連付けて記録された関連情報を読み取る読取部と、
前記読取部により読み取られた関連情報の中に、前記画像を印刷するための印刷条件が含まれているか否かを判定する判定部と、
前記判定部により、前記読み取られた関連情報の中に印刷条件が含まれていると判定された場合、当該印刷条件を予め設定された表示方式で表示部に表示させる制御部と、
を備えることを特徴とする情報処理装置。
【請求項２】
前記表示部に表示された印刷条件の書き換え操作を行う操作部を備え、
前記制御部は、前記操作部の操作により前記印刷条件が書き換えられると、当該印刷条件の表示方式を変更することを特徴とする請求項１に記載の情報処理装置。
【請求項３】
前記印刷条件を、前記画像情報に関連付けて記録媒体に記録する記録部を備えることを特徴とする請求項２に記載の情報処理装置。
【請求項４】
前記制御部は、前記印刷条件を予め設定された色で前記表示部に表示させることを特徴とする請求項１〜３の何れか一項に記載の情報処理装置。
【請求項５】
各種の情報を処理する情報処理装置と、前記情報処理装置で処理された情報を印刷するプリント作成装置とを備えて構成されるプリントシステムにおいて、
前記情報処理装置は、
記録媒体に記録された画像情報と、当該画像情報に関連付けて記録された関連情報を読み取る読取部と、
前記読取部により読み取られた関連情報の中に、前記画像を印刷するための印刷条件が含まれているか否かを判定する判定部と、
前記判定部により、前記読み取られた関連情報の中に印刷条件が含まれていると判定された場合、当該印刷条件を予め設定された表示方式で表示部に表示させる制御部と、を備え、
前記プリント作成装置は、前記印刷条件に基づいて印刷出力を行うことを特徴とするプリントシステム。
【発明の詳細な説明】
【０００１】
【発明の属する技術分野】
本発明は、各種の情報を処理する情報処理装置及びプリントシステムに関する。
【０００２】
【従来の技術】
近年、フィルムに記録された撮影画像又はＣＤ−Ｒやメモリカードに記録された画像データのプリントを行うプリントサービスが展開されている。このようなプリントサービスでは、客が、フィルムやメモリカード等の記録媒体に、プリントサイズやプリント枚数等の印刷条件を撮影画像とともに記録し、その記録媒体を写真専門店や取次店の店頭に持参してプリント注文をすることが可能になっている（例えば、特許文献１参照。）。プリント注文を受けた写真専門店や取次店では、店舗に設置された端末の表示モニタに、記録媒体に記録されている撮影画像及び印刷条件を表示し、表示された印刷条件に従ってプリント処理を実行する。記録媒体に印刷条件が記録されていない場合は、注文票に記入された注文情報に基づいて、端末を操作するオペレータ（店員）の入力操作により印刷条件が入力される。
【０００３】
【特許文献１】
特開平１１−１０２０３５号公報
【０００４】
【発明が解決しようとする課題】
しかしながら、従来のプリントサービスで利用されている端末においては、客の要望により、表示モニタに表示された印刷条件を変更（追加）しても、変更前と変更後の表示方式が同一（例えば、同一の色、同一のフォント）であるため、変更箇所を特定するのが容易ではないという問題があった。特に、表示モニタに表示された印刷条件が、記録媒体に元々記録されていたものであるのか、オペレータの操作により入力されたものであるのかを確認する場合、再度、記録媒体に記録された情報を読み込む必要があり、このような作業は、オペレータにとって面倒であった。
【０００５】
本発明の課題は、画像に関わる情報を処理する情報処理装置において、入力操作の有無に応じて、画像を印刷するための印刷条件の表示を制御することである。
【０００６】
【課題を解決するための手段】
請求項１記載の発明は、記録媒体に記録された画像情報と、当該画像情報に関連付けて記録された関連情報を読み取る読取部と、前記読取部により読み取られた関連情報の中に、前記画像を印刷するための印刷条件が含まれているか否かを判定する判定部と、前記判定部により、前記読み取られた関連情報の中に印刷条件が含まれていると判定された場合、当該印刷条件を予め設定された表示方式で表示部に表示させる制御部と、を備えることを特徴としている。
【０００７】
請求項１記載の発明において「画像情報」とは、画像のデータ、ファイル名等の画像に固有の情報を示す。また、「関連情報」とは、画像情報に関連する情報であり、例えば、画像を印刷するために必要な情報（印刷条件）等が含まれる。また、請求項１に記載の発明における「画像を印刷するための印刷条件」としては、例えば、印刷サイズ、印刷枚数等がある。また、「予め設定された表示方式」としては、例えば、予め設定された色、フォント、太さ等がある。
【０００８】
請求項２に記載の発明は、請求項１に記載の発明において、前記表示部に表示された印刷条件の書き換え操作を行う操作部を備え、前記制御部は、前記操作部の操作により前記印刷条件が書き換えられると、当該印刷条件の表示方式を変更することを特徴としている。
【０００９】
請求項３に記載の発明は、請求項２に記載の発明において、前記印刷条件を、前記画像情報に関連付けて記録媒体に記録する記録部を備えることを特徴としている。
【００１０】
請求項４に記載の発明は、請求項１〜３の何れか一項に記載の発明において、前記制御部は、前記印刷条件を予め設定された色で前記表示部に表示させることを特徴としている。
【００１１】
請求項５に記載の発明は、各種の情報を処理する情報処理装置と、前記情報処理装置で処理された情報を印刷するプリント作成装置とを備えて構成されるプリントシステムにおいて、前記情報処理装置は、記録媒体に記録された画像情報と、当該画像情報に関連付けて記録された関連情報を読み取る読取部と、前記読取部により読み取られた関連情報の中に、前記画像を印刷するための印刷条件が含まれているか否かを判定する判定部と、前記判定部により、前記読み取られた関連情報の中に印刷条件が含まれていると判定された場合、当該印刷条件を予め設定された表示方式で表示部に表示させる制御部と、を備え、前記プリント作成装置は、前記印刷条件に基づいて印刷出力を行うことを特徴としている。
【００１２】
本発明によれば、読み取られた情報の中に、画像の印刷条件が含まれている場合、その印刷条件を予め設定された表示方式で表示することにより、印刷条件の識別表示が可能になる。
【００１３】
また、表示部に表示された印刷条件が操作部の操作により書き換えられると、当該印刷条件の表示方式を変更させることにより、記録媒体に予め記録された印刷条件と、オペレータの操作により入力された印刷条件を容易に識別することができる。
【００１４】
【発明の実施の形態】
以下、図を参照して本発明の実施の形態を詳細に説明する。
まず、構成を説明する。
【００１５】
図１に、本発明の実施の形態におけるプリントシステム１００の構成を示す。プリントシステム１００は、図１に示すように、情報処理装置１とプリント作成装置４から構成され、情報処理装置１とプリント作成装置４は、ＬＡＮ（Ｌｏｃａｌ  Ａｒｅａ  Ｎｅｔｗｏｒｋ）等の通信ネットワークにより接続される。
【００１６】
情報処理装置１は、ＰＣ（Ｐｅｒｓｏｎａｌ  Ｃｏｍｐｕｔｅｒ）２と読取部３から構成される。ＰＣ２は、図１に示すように、制御部２１、表示部２２、操作部２３、メモリ２４、通信制御部２５、ネットワークＩ／Ｆ２６、記録部２７等を備えて構成される。
【００１７】
制御部２１は、メモリ２４に記憶されている制御処理プログラムに従って、ＰＣ２の各部の動作を集中制御する。以下、制御部２１による各制御動作の詳細を説明する。
【００１８】
制御部２１は、読取部３から、画像情報と、当該画像の関連情報が入力されると、その関連情報の中に、画像のプリント注文情報が含まれているか否かを判定し、判定結果に応じて、プリント注文情報を表示部２２に表示するための制御を行う（図２参照）。具体的には、関連情報の中にプリント注文情報が含まれていると判定された場合、プリント注文情報の一部又は全部を表示部２２に特定の色（例えば、赤色）で表示させる。なお、表示部２２におけるプリント注文情報の表示色は予め設定されており、任意に変更可能である。
【００１９】
ここで、本実施の形態において、「画像情報」とは、画像のデータ、ファイル名等の画像に固有の情報を示す。また、「関連情報」は、画像情報に関連する情報であり、例えば、画像を印刷するための情報（後述の印刷条件等）等が含まれる。
【００２０】
また、本実施の形態において、「プリント注文情報」には、プリントサイズやプリント枚数等、プリントに必要な条件（以下、印刷条件と称す。）が含まれる。ＡＰＳフィルムの場合、プリント注文情報は、撮影画像毎にフィルムに磁気的に記録されている。また、メモリカードの場合、プリント注文情報は、ＤＰＯＦ（Ｄｉｇｉｔａｌ  Ｐｒｉｎｔ  Ｏｒｄｅｒ  Ｆｏｒｍａｔ）の記述形式に従って記録されている。
【００２１】
また、制御部２１は、表示部２２に表示された印刷条件が操作部２３の入力操作により書き換えられると、該当する印刷条件の表示方式を変更する。表示方式の変更には、例えば、色の変更、フォントの変更、太さの変更等がある。
【００２２】
表示部２２は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等の表示画面を有し、制御部２１から入力される表示信号に従って所要の表示を行う。
【００２３】
操作部２３は、文字入力キー、テンキー、カーソルキー及び各種機能キーを備えたキー入力装置や、マウス等のポインティングデバイス等を備え、キー入力装置やポインティングデバイスの操作による操作信号を制御部２１に出力する。
【００２４】
メモリ２４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。ＲＯＭは、情報処理装置１で実行可能な各種制御処理プログラム及び各種処理プログラムの実行時に必要なデータ等を格納している。これらのプログラムは、コンピュータが読取可能なプログラムコードの形態でメモリ２４に格納されている。ＲＡＭは、入力データや、各種処理プログラムが実行される際に生じる処理結果等をワークメモリに一時的に格納する。
【００２５】
通信制御部２５は、ＬＡＮ等の通信ネットワークを介して外部機器と通信を行うための制御を行う。
【００２６】
ネットワークＩ／Ｆ２６は、ＬＡＮ等の通信ネットワークに接続された各デバイス（例えば、プリント作成装置４）と、ＰＣ２とを接続するためのインターフェースである。
【００２７】
記録部２７は、制御部２１から入力される制御信号に従って、指定された記録媒体に情報を記録する。例えば、記録部２７は、印刷条件と画像情報とを関連付けて記録媒体に記録する。
【００２８】
読取部３は、図１に示すように、フィルムスキャナ３１、フラットベッドスキャナ３２、カードリーダ３３により構成される。
【００２９】
フィルムスキャナ３１は、光源、ＣＣＤ（Ｃｈａｒｇｅｄ  Ｃｏｕｐｌｅｄ  Ｄｅｖｉｃｅ）、Ａ／Ｄコンバータ等により構成され、写真のポジやネガフィルム等の透過原稿（ＡＰＳフィルム等）に光源からの光を照射し、その反射光をＣＣＤにより電気信号（アナログ信号）に変換し、Ａ／Ｄコンバータにより、このアナログ信号をデジタルデータに変換する。
【００３０】
フラットベッドスキャナ３２は、光源、ＣＣＤ、Ａ／Ｄコンバータ等により構成され、原稿台に載置された原稿に光源からの光を照射し、その反射光をＣＣＤにより電気信号（アナログ信号）に変換し、Ａ／Ｄコンバータにより、このアナログ信号をデジタルデータに変換する。
【００３１】
カードリーダ３３は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっており、メモリカードに記録されたデータを読み取る。
【００３２】
プリント作成装置４は、ＰＣ２により印刷指示のあった画像を、所定の印刷方式（電子写真方式、インクジェット方式等）で、印刷用紙に印刷出力する。
【００３３】
次に、本実施の形態における動作を説明する。
図２のフローチャートを参照して、情報処理装置１において実行される表示制御処理について説明する。
【００３４】
読取部３により、記録媒体に記録された画像情報（画像データ）と、当該画像情報の関連情報が読み取られると（ステップＳ１）、表示部２２に、読み取られた画像情報の印刷情報を入力するための印刷情報入力画面５（図３参照）が表示される。
【００３５】
印刷情報入力画面５には、図３に示すように、読取部３により読み取られた画像データのサムネイル画像６が一覧表示される。この印刷情報入力画面５において、各サムネイル画像６の上部には、プリントサイズ（Ｌ、２Ｌ、パノラマ等）を指定するためのプリントサイズ欄７と、プリント枚数を指定するためのプリント枚数欄８が設けられている。
【００３６】
ステップＳ１において画像情報及び関連情報が読み取られると、読み取られた画像情報（画像データ）毎に、対応する関連情報の中にプリント注文情報が含まれているか否かが判定される（ステップＳ２）。ステップＳ２において、関連情報の中にプリント注文情報が含まれていると判定された場合（ステップＳ２；ＹＥＳ）、当該プリント注文情報に基づいて、該当する画像のプリントサイズ欄７、プリント枚数欄８に、それぞれ、プリントサイズ、プリント枚数が赤色で表示される（ステップＳ３）。なお、プリントサイズとプリント枚数の表示色を異なるようにしてもよい。ステップＳ２において、関連情報の中にプリント注文情報が含まれていないと判定された場合（ステップＳ２；ＮＯ）、後述のステップＳ４に移行する。
【００３７】
印刷情報入力画面５に、記録媒体から読み取られた画像データのサムネイル画像及び／又は印刷条件が表示されると、情報処理装置１のオペレータによる操作部２３の入力操作により、プリントサイズ欄７、プリント枚数欄８に表示された印刷条件の書き換え操作があるか否かが判定される（ステップＳ４）。なお、印刷条件が書き換えられるのは、客の要望により、記録媒体に記録された印刷条件を変更する必要があった場合等である。
【００３８】
ステップＳ４において、操作部２３の操作により、印刷条件の書き換え操作があると判定された場合（ステップＳ４；ＹＥＳ）、書き換えられた文字が黒色で表示される（ステップＳ５）、本表示制御処理が終了する。なお、空欄であったプリントサイズ欄７、プリント枚数欄８に、操作部２３の操作により、新規にそれぞれ、プリントサイズ、プリント枚数が書き込まれた場合も、黒色で表示される。
【００３９】
印刷条件の書き換えや新規入力等が終了し、印刷情報入力画面５のプリントボタン９がマウスにより指定されると、各画像のプリントサイズ欄７に表示されたプリントサイズ、プリント枚数欄８に表示されたプリント枚数により印刷情報が確定され、確定された印刷情報に基づいてプリント作成装置４において、各画像の印刷が開始される。
【００４０】
また、印刷条件の書き換えや新規入力が終了し、操作部２３の操作により、印刷条件を記録媒体に記録する指示があると、その印刷条件がプリント注文情報として確定され、記録部２７により、そのプリント注文情報と、対応する画像情報が、指定された記録媒体に記録される。
【００４１】
なお、図２のフローチャートでは、読み取られた関連情報にプリント注文情報が含まれている場合、印刷条件を赤色表示にすることによって、印刷条件を識別表示するようにしたが、識別表示のために利用する色は、ＰＣ２のオペレータが容易に識別できるような色であればよく、特に限定されない。また、図２のフローチャートでは、オペレータの操作により変更又は新規に入力された部分を黒色表示にするようにしたが、操作部分の表示色は、ステップＳ３における表示色（記録媒体に記録されていたプリント枚数を表示したときの色）と異なっていればよく、特に限定されない。また、新規入力された部分の色と、書き換え操作により変更された部分の色が異なるようにしてもよい。
【００４２】
以上のように、本実施の形態の情報処理装置１によれば、印刷情報入力画面５において、ＡＰＳフィルムやメモリカード等の記録媒体に元々記録されていた印刷条件の表示色と、情報処理装置１のオペレータの操作により入力された印刷条件の表示色を異なるようにしたため、表示されている印刷条件が、記録媒体に元々記録されたものであるか、オペレータの操作により入力されたものであるのかを容易に識別することができる。また、このように、印刷条件を識別表示することにより、オペレータの入力ミスを引き起こすことが少なくなり、客の注文通りにプリントを作成することができる。
【００４３】
なお、本実施の形態における記述内容は、本発明の趣旨を逸脱しない範囲で適宜変更可能である。
【００４４】
例えば、上述の実施の形態では、記録媒体から読み取られた情報の中にプリント注文情報が含まれている場合、プリントサイズ欄７及びプリント枚数欄８の内容を、色によって識別表示することにより、プリント注文情報がある画像を特定できるようにしたが、図４（ａ）に示すように、該当するサムネイル画像６に枠１０を表示することにより、プリント注文情報がある画像を特定できるようにしてもよい。
【００４５】
また、図５に示すように、印刷情報入力画面５において、一覧表示された画像毎に、メッセージ欄１１を設け、プリント注文情報の有無を表示するようにしてもよい。例えば、読み取られた情報にプリント情報が含まれている場合は、メッセージ欄１１には、「注文あり」と表示され（図５（ａ））、プリント注文情報が含まれていない場合は、メッセージ欄１１には、「注文なし」と表示される（図５（ｂ））。図５（ａ）において、オペレータの入力操作により、プリント枚数が変更された場合は、メッセージ欄１１には、「変更」と表示されるようにしてもよい。
【００４６】
【発明の効果】
本発明によれば、読み取られた情報の中に、画像の印刷条件が含まれている場合、その印刷条件を予め設定された表示方式で表示することにより、印刷条件の識別表示が可能になる。
【００４７】
また、表示部に表示された印刷条件が操作部の操作により書き換えられると、当該印刷条件の表示方式を変更させることにより、記録媒体に予め記録された印刷条件と、オペレータの操作により入力された印刷条件を容易に識別することができる。
【図面の簡単な説明】
【図１】本発明を適用した実施の形態のプリントシステム１００の構成を示すブロック図。
【図２】図１の情報処理装置１において実行される表示制御処理を示すフローチャート。
【図３】情報処理装置１の表示部２２に表示される印刷情報入力画面５を示す図。
【図４】印刷情報入力画面５の表示例を示す図。
【図５】印刷情報入力画面５の表示例を示す図。
【符号の説明】
１    情報処理装置
２    ＰＣ
２１  制御部
２２  表示部
２３  操作部
２４  メモリ
２５  通信制御部
２６  ネットワークＩ／Ｆ
２７  記録部
３    読取部
３１  フィルムスキャナ
３２  フラットベッドスキャナ
３３  カードリーダ
４    プリント作成装置
５    印刷情報入力画面
６    サムネイル画像
７    プリントサイズ欄
８    プリント枚数欄
９    プリントボタン
１０  枠
１１  メッセージ欄
１００  プリントシステム
【図１】
2004246665.tif 000003
【図２】
2004246665.tif 000004
【図３】
2004246665.tif 000005
【図４】
2004246665.tif 000006
【図５】
2004246665.tif 000007